【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
運動支援装置において、
移動動作中の利用者の運動動作状態に関連する動作データを、該利用者の前記運動動作中に、予め設定された時間間隔毎に繰り返し検出する検出部と、
前記検出部が前記動作データを検出する毎に、検出された前記動作データに基づいて、前記利用者の移動速度に対応する第１の動作情報値と、前記利用者の単位時間当たりの歩数又は前記利用者の歩幅に対応する第２の動作情報値とを取得し、前記第１の動作情報値を取得する毎に、取得した前記第１の動作情報値が第１の数値範囲を逸脱しているか否かを判定し、前記第２の動作情報値を取得する毎に、取得した前記第２の動作情報値が第２の数値範囲を逸脱しているか否かを判定し、前記第１の数値範囲は前記第１の動作情報値の許容範囲として設定され、前記第２の数値範囲は前記第２の動作情報値の許容範囲として設定されている分析判定部と、
前記分析判定部により前記第１又は第２の動作情報値の少なくとも一方が、対応する前記第１又は第２の数値範囲から逸脱していると判定されたときに、逸脱していると判定された前記第１又は第２の動作情報値に対する報知動作を、前記利用者の前記運動動作中に実行する出力部と、
を備えることを特徴とする運動支援装置。
【請求項２】
前記移動動作は歩行動作又は走行動作であり、
前記第１の数値範囲及び前記第２の数値範囲は、前記利用者の移動動作開始地点からの移動距離に対して設定され、
前記分析判定部は、更に、前記第１の動作情報値と前記第２の動作情報値とに基づいて、前記利用者の前記移動距離を取得し、前記第１の動作情報値及び前記第２の動作情報値を、取得した前記移動距離に対して設定されている前記第１の数値範囲及び前記第２の数値範囲と、それぞれ比較することを特徴とする請求項１に記載の運動支援装置。
【請求項３】
前記出力部は、文字情報を含む画像を表示する表示部を有し、
前記出力部は、
前記分析判定部により、前記第１の動作情報値が前記第１の数値範囲内の値であり、且つ、前記第２の動作情報値が前記第２の数値範囲内の値であると判定されたとき、前記表示部に第１の表示形態で標準表示を行い、
前記分析判定部により、前記第１の動作情報値と前記第２の動作情報値の何れか一方のみが、対応する前記第１の数値範囲又は前記第２の数値範囲から逸脱しているとき、前記報知動作として、前記表示部に、前記第１の表示形態とは異なる第２の表示形態で注意表示を行い、
前記分析判定部により、前記第１の動作情報値が前記第１の数値範囲から逸脱し、且つ、前記第２の動作情報値が前記第２の数値範囲から逸脱していると判定されたとき、前記報知動作として、前記表示部に前記第１の表示形態及び前記第２の表示形態とは異なる第３の表示形態で警告表示を行うことを特徴とする請求項１又は２に記載の運動支援装置。
【請求項４】
前記出力部は、
前記標準表示における前記第１の表示形態において、前記表示部に、前記第１の動作情報値及び前記第２の動作情報値に対応した第１の画像に含まれる文字情報の文字を第１の大きさ及び第１の文字色で表示し、
前記注意表示における前記第２の表示形態において、前記表示部に、前記第１の動作情報値と前記第２の動作情報値の前記一方に対応した第２の画像に含まれる文字情報の文字を、（ｉ）前記表示部に前記第１の大きさより大きい第２の大きさで表示する、（ii）前記表示部に前記文字を前記第１の文字色と異なる第２の文字色で表示する、（iii）前記表示部に前記文字を第１の時間間隔で点滅表示する、の少なくとも何れかで表示し、
前記警告表示における前記第３の表示形態において、前記表示部に、前記第１の動作情報値及び前記第２の動作情報値に対応した第３の画像に含まれる文字情報の文字を、（iv）前記表示部に前記第１の大きさより大きい第３の大きさで表示する、（ｖ）前記表示部に前記第１の文字色と異なる第３の文字色で表示する、（vi）前記表示部に前記文字を前記第１の時間間隔と異なる第２の時間間隔で点滅表示する、の少なくとも何れかで表示することを特徴とする請求項３に記載の運動支援装置。
【請求項５】
前記第１の数値範囲及び前記第２の数値範囲は、それぞれ、上限値と下限値を有し、
前記出力部は、前記注意表示における前記第２の表示形態において、
前記分析判定部により、前記第１の動作情報値と前記第２の動作情報値の一方が、対応する前記第１の数値範囲又は前記第２の数値範囲の前記上限値より大きい値であると判定されたときと、前記下限値より小さい値であると判定されたときと、で前記第２の画像に含まれる文字情報の文字を互いに異なる色で表示することを特徴とする請求項４に記載の運動支援装置。
【請求項６】
前記出力部は、前記警告表示における前記第３の表示形態において、
前記分析判定部により、前記第１の動作情報値が前記第１の数値範囲の前記上限値より大きい値であると判定されたときと、前記下限値より小さい値であると判定されたときと、で前記第１の動作情報値に対応する前記文字の色を互いに異なる色に設定し、前記分析判定部により、前記第２の動作情報値が前記第２の数値範囲の前記上限値より大きい値であると判定されたときと、前記下限値より小さい値であると判定されたときと、で前記第３の画像に含まれる文字情報の文字を互いに異なる色で表示することを特徴とする請求項５に記載の運動支援装置。
【請求項７】
前記第２の画像に含まれる文字情報は、前記分析判定部により、前記第１の動作情報値が前記第１の数値範囲の範囲外の値であると判定されたとき、前記利用者の前記移動速度の数値を示す文字を含み、前記分析判定部により、前記第２の動作情報値が前記第２の数値範囲の範囲外の値であると判定されたとき、前記利用者の前記歩数の数値を示す文字を含み、
前記第３の画像に含まれる文字情報は、前記利用者の前記移動速度の数値と前記利用者の前記歩数の数値とを示す文字を含むことを特徴とする請求項４に記載の運動支援装置。
【請求項８】
前記第２の画像に含まれる文字情報は、前記分析判定部により、前記第１の動作情報値が前記第１の数値範囲の範囲外の値であると判定されたとき、前記利用者に対して前記移動速度を前記第１の数値範囲の範囲内の値に合わせるように指示する文言の文字を含み、前記分析判定部により、前記第２の動作情報値が前記第２の数値範囲の範囲外の値であると判定されたとき、前記利用者に対して前記歩数を前記第２の数値範囲の範囲内の値に合わせるように指示する文言の文字を含み、
前記第３の画像に含まれる文字情報は、前記利用者に対して前記移動速度を前記第１の数値範囲の範囲内の値に合わせ、且つ、前記歩数を前記第２の数値範囲の範囲内の値に合わせるように指示する文言の文字を含むことを特徴とする請求項４に記載の運動支援装置。
【請求項９】
前記出力部は、
前記標準表示における前記第１の表示形態において、前記表示部の背景部分の表示色を第１の背景色に設定し、
前記注意表示における前記第２の表示形態において、（vii）前記表示部の背景部分の表示色を前記第１の背景色と異なる第２の背景色に設定する、（viii）前記表示部の背景部分を第３の時間間隔で点滅表示する、の少なくとも何れかで設定又は表示を行い、
前記警告表示における前記第３の表示形態において、（ix）前記表示部の背景部分の表示色を前記第１の背景色及び前記第２の背景色と異なる第３の背景色に設定する、（ｘ）前記表示部の背景部分を前記第３の時間間隔と異なる第４の時間間隔で点滅表示する、の少なくとも何れかで設定又は表示を行うことを特徴とする請求項３に記載の運動支援装置。
【請求項１０】
前記出力部は、さらに、音を発生する音響部を有し、
前記出力部は、
前記分析判定部により、前記第１の動作情報値と前記第２の動作情報値の一方が、対応する前記第１の数値範囲又は前記第２の数値範囲外の値であると判定されたとき、前記報知動作として、前記音響部に第１の音による注意音を発生させ、
前記分析判定部により、前記第１の動作情報値が前記第１の数値範囲外の値であり、且つ、前記第２の動作情報値が前記第２の数値範囲外の値であると判定されたとき、前記報知動作として、前記音響部に前記第１の音と異なる第２の音による警告音を発生させることを特徴とする請求項１乃至９のいずれかに記載の運動支援装置。
【請求項１１】
前記出力部は、さらに、振動を発生する振動部を有し、
前記出力部は、
前記分析判定部により、前記第１の動作情報値と前記第２の動作情報値の一方が、対応する前記第１の数値範囲又は前記第２の数値範囲外の値であると判定されたとき、前記報知動作として、前記振動部に第１の振動パターンの振動を発生させ、
前記分析判定部により、前記第１の動作情報値が前記第１の数値範囲外の値であり、且つ、前記第２の動作情報値が前記第２の数値範囲外の値であると判定されたとき、前記報知動作として、前記振動部に前記第１の振動パターンと異なる第２の振動パターンの振動を発生させることを特徴とする請求項１乃至１０のいずれかに記載の運動支援装置。
【請求項１２】
前記検出部は、前記利用者の前記移動速度の変化の割合を前記動作データとして検出する加速度センサと、前記利用者の移動方向の変化を前記動作データとして検出する角速度センサと、を有することを特徴とする請求項１乃至１１のいずれかに記載の運動支援装置。
【請求項１３】
前記検出部は、前記利用者の地理的な位置と、前記利用者の前記移動速度と、を前記動作データとして検出する位置センサを、さらに有することを特徴とする請求項１２に記載の運動支援装置。
【請求項１４】
運動支援方法において、
移動動作中の利用者の運動動作状態に関連する動作データを、該利用者の前記運動動作中に、予め設定された時間間隔毎に繰り返し検出し、
前記動作データを検出する毎に、前記検出した前記動作データに基づいて、前記利用者の移動速度に対応する第１の動作情報値と、前記利用者の単位時間当たりの歩数又は前記利用者の歩幅に対応する第２の動作情報値とを取得し、
前記第１の動作情報値を取得する毎に、取得した前記第１の動作情報値が、前記第１の動作情報値の許容範囲として設定されている第１の数値範囲を逸脱しているか否かを判定し、
前記第２の動作情報値を取得する毎に、取得した前記第２の動作情報値が、前記第２の動作情報値の許容範囲として設定されている第２の数値範囲を逸脱しているか否かを判定し、
前記第１又は第２の動作情報値の少なくとも一方が、対応する前記第１又は第２の数値範囲から逸脱していると判定されたときに、逸脱していると判定された前記第１又は第２の動作情報値に対する報知動作を、前記利用者の前記運動動作中に実行することを特徴とする運動支援方法。
【請求項１５】
前記移動動作は歩行動作又は走行動作であり、
前記第１の数値範囲及び前記第２の数値範囲は、前記利用者の移動動作開始地点からの移動距離に対して設定され、
前記第１の動作情報値と前記第２の動作情報値とに基づいて、前記利用者の前記移動距離を取得する動作を含み、
前記第１の動作情報値と前記第１の数値範囲との比較において、当該第１の数値範囲として、取得した前記移動距離に対して設定されている前記第１の数値範囲の値を用いて比較を行い、
前記第２の動作情報値と前記第２の数値範囲との比較において、当該第２の数値範囲として、取得した前記移動距離に対して設定されている前記第２の数値範囲の値を用いて比較を行うことを特徴とする請求項１４に記載の運動支援方法。
【請求項１６】
前記第１の動作情報値と前記第１の数値範囲との比較、及び、前記第２の動作情報値と前記第２の数値範囲との比較において、前記第１の動作情報値が前記第１の数値範囲内の値であると判定され、且つ、前記第２の動作情報値が前記第２の数値範囲内の値であると判定されたとき、表示部に第１の表示形態で標準表示を行い、
前記第１の動作情報値と前記第１の数値範囲との比較、及び、前記第２の動作情報値と前記第２の数値範囲との比較において、前記第１の動作情報値と前記第２の動作情報値の何れか一方のみ、対応する前記第１の数値範囲又は前記第２の数値範囲から逸脱していると判定されたとき、前記報知動作として、前記表示部に、前記第１の表示形態とは異なる第２の表示形態で注意表示を行い、
前記第１の動作情報値と前記第１の数値範囲との比較において、前記第１の動作情報値が前記第１の数値範囲外の値であると判定され、且つ、前記第２の動作情報値と前記第２の数値範囲との比較において前記第２の動作情報値が前記第２の数値範囲外の値であると判定されたとき、前記報知動作として、前記表示部に前記第１の表示形態及び前記第２の表示形態とは異なる第３の表示形態で警告表示を行うことを特徴とする請求項１４又は１５に記載の運動支援方法。
【請求項１７】
前記標準表示における前記第１の表示形態においては、前記表示部に、前記第１の動作情報値及び前記第２の動作情報値に対応した第１の画像に含まれる文字情報の文字を第１の大きさ及び第１の文字色で表示し、
前記注意表示における前記第２の表示形態においては、前記表示部に、前記第１の動作情報値と前記第２の動作情報値の前記一方に対応した第２の画像に含まれる文字情報の文字を、（ｉ）前記表示部に前記第１の大きさより大きい第２の大きさで表示する、（ii）前記表示部に前記文字を前記第１の文字色と異なる第２の文字色で表示する、（iii）前記表示部に前記文字を第１の時間間隔で点滅表示する、の少なくとも何れかで表示し、
前記警告表示における前記第３の表示形態においては、前記表示部に、前記第１の動作情報値及び前記第２の動作情報値に対応した第３の画像に含まれる文字情報の文字を、（iv）前記表示部に前記第１の大きさより大きい第３の大きさで表示する、（ｖ）前記表示部に前記第１の文字色と異なる第３の文字色で表示する、（vi）前記表示部に前記文字を前記第１の時間間隔と異なる第２の時間間隔で点滅表示する、の少なくとも何れかで表示することを特徴とする請求項１６に記載の運動支援方法。
【請求項１８】
コンピュータに、
移動動作中の利用者の運動動作状態に関連する動作データを、該利用者の前記運動動作中に、予め設定された時間間隔毎に繰り返し検出させ、
前記動作データを検出する毎に、前記検出した前記動作データに基づいて、前記利用者の移動速度に対応する第１の動作情報値と、前記利用者の単位時間当たりの歩数又は前記利用者の歩幅に対応する第２の動作情報値とを取得させ、
前記第１の動作情報値を取得する毎に、取得した前記第１の動作情報値が、前記第１の動作情報値の許容範囲として設定されている第１の数値範囲を逸脱しているか否かを判定させ、
前記第２の動作情報値を取得する毎に、取得した前記第２の動作情報値が、前記第２の動作情報値の許容範囲として設定されている第２の数値範囲を逸脱しているか否かを判定させ、
前記第１又は第２の動作情報値の少なくとも一方が、対応する前記第１又は第２の数値範囲から逸脱していると判定されたときに、逸脱していると判定された前記第１又は第２の動作情報値に対する報知動作を、前記利用者の前記運動動作中に実行させることを特徴とする運動支援プログラム。
【手続補正２】
【補正対象書類名】明細書
【補正対象項目名】０００９
【補正方法】変更
【補正の内容】
【０００９】
本発明は、
運動支援装置において、
移動動作中の利用者の運動動作状態に関連する動作データを、該利用者の前記運動動作中に、予め設定された時間間隔毎に繰り返し検出する検出部と、
前記検出部が前記動作データを検出する毎に、検出された前記動作データに基づいて、前記利用者の移動速度に対応する第１の動作情報値と、前記利用者の単位時間当たりの歩数又は前記利用者の歩幅に対応する第２の動作情報値とを取得し、前記第１の動作情報値を取得する毎に、取得した前記第１の動作情報値が第１の数値範囲を逸脱しているか否かを判定し、前記第２の動作情報値を取得する毎に、取得した前記第２の動作情報値が第２の数値範囲を逸脱しているか否かを判定し、前記第１の数値範囲は前記第１の動作情報値の許容範囲として設定され、前記第２の数値範囲は前記第２の動作情報値の許容範囲として設定されている分析判定部と、
前記分析判定部により前記第１又は第２の動作情報値の少なくとも一方が、対応する前記第１又は第２の数値範囲から逸脱していると判定されたときに、逸脱していると判定された前記第１又は第２の動作情報値に対する報知動作を、前記利用者の前記運動動作中に実行する出力部と、
を備えることを特徴とする。
【手続補正３】
【補正対象書類名】明細書
【補正対象項目名】００１０
【補正方法】変更
【補正の内容】
【００１０】
本発明は、
運動支援方法において、
移動動作中の利用者の運動動作状態に関連する動作データを、該利用者の前記運動動作中に、予め設定された時間間隔毎に繰り返し検出し、
前記動作データを検出する毎に、前記検出した前記動作データに基づいて、前記利用者の移動速度に対応する第１の動作情報値と、前記利用者の単位時間当たりの歩数又は前記利用者の歩幅に対応する第２の動作情報値とを取得し、
前記第１の動作情報値を取得する毎に、取得した前記第１の動作情報値が、前記第１の動作情報値の許容範囲として設定されている第１の数値範囲を逸脱しているか否かを判定し、
前記第２の動作情報値を取得する毎に、取得した前記第２の動作情報値が、前記第２の動作情報値の許容範囲として設定されている第２の数値範囲を逸脱しているか否かを判定し、
前記第１又は第２の動作情報値の少なくとも一方が、対応する前記第１又は第２の数値範囲から逸脱していると判定されたときに、逸脱していると判定された前記第１又は第２の動作情報値に対する報知動作を、前記利用者の前記運動動作中に実行することを特徴とする。
【手続補正４】
【補正対象書類名】明細書
【補正対象項目名】００１１
【補正方法】変更
【補正の内容】
【００１１】
本発明は、運動支援プログラムにおいて、
コンピュータに、
移動動作中の利用者の運動動作状態に関連する動作データを、該利用者の前記運動動作中に、予め設定された時間間隔毎に繰り返し検出させ、
前記動作データを検出する毎に、前記検出した前記動作データに基づいて、前記利用者の移動速度に対応する第１の動作情報値と、前記利用者の単位時間当たりの歩数又は前記利用者の歩幅に対応する第２の動作情報値とを取得させ、
前記第１の動作情報値を取得する毎に、取得した前記第１の動作情報値が、前記第１の動作情報値の許容範囲として設定されている第１の数値範囲を逸脱しているか否かを判定させ、
前記第２の動作情報値を取得する毎に、取得した前記第２の動作情報値が、前記第２の動作情報値の許容範囲として設定されている第２の数値範囲を逸脱しているか否かを判定させ、
前記第１又は第２の動作情報値の少なくとも一方が、対応する前記第１又は第２の数値範囲から逸脱していると判定されたときに、逸脱していると判定された前記第１又は第２の動作情報値に対する報知動作を、前記利用者の前記運動動作中に実行させることを特徴とする。